(57)【要約】【課題】全閉状態において雨水や異物等が収納ボックスの内部に侵入するのを抑制することができるシャッター装置を提供する。【解決手段】昇降可能に設けられ、上昇することにより建物開口部６を全閉した全閉状態と、下降することにより建物開口部６を全開した全開状態と、を切り替える開閉部５０と、上方へ開口された収納開口部２１ｄを有し、収納開口部２１ｄを介して開閉部５０を内部に収納可能な収納ボックス２０と、昇降可能に設けられ、全閉状態において収納ボックス２０の収納開口部２１ｄを塞ぐ連動部材８０と、を具備する。【選択図】図１１
2020051106.tif 000002
【特許請求の範囲】
【請求項１】
昇降可能に設けられ、上昇することにより建物開口部を全閉した全閉状態と、下降することにより前記建物開口部を全開した全開状態と、を切り替える開閉部と、
上方へ開口された開口部を有し、前記開口部を介して前記開閉部を内部に収納可能な収納ボックスと、
昇降可能に設けられ、前記全閉状態において前記収納ボックスの前記開口部を塞ぐ閉塞手段と、
を具備する、
ことを特徴とするシャッター装置。
【請求項２】
前記閉塞手段は、
前記開閉部の下端部に連結され、当該開閉部と連動して昇降可能に構成される、
請求項１に記載のシャッター装置。
【請求項３】
前記開閉部は、
上下方向に並設された複数のスラットの集合体であって、
前記閉塞手段は、
前記複数のスラットのうち一部のスラットを用いて形成されている、
請求項１に記載のシャッター装置。
【請求項４】
前記複数のスラットは、
それぞれ立ち上がった状態である立ち上がり状態と、横たわった状態である横たわり状態と、に姿勢を切り替え可能に構成され、
前記横たわり状態であった前記一部のスラットを、前記立ち上がり状態に切り替えることにより前記収納ボックスの前記開口部を塞ぐ、
請求項３に記載のシャッター装置。
【請求項５】
前記一部のスラットは、
少なくとも２つ以上のスラットである、
請求項３又は請求項４に記載のシャッター装置。
【発明の詳細な説明】
【技術分野】
【０００１】
本発明は、上昇することにより建物開口部を全閉した全閉状態と、下降することにより前記建物開口部を全開した全開状態と、を切り替える開閉部を具備するシャッター装置の技術に関する。
【背景技術】
【０００２】
従来、昇降可能に設けられ、上昇することにより建物開口部を全閉した全閉状態と、下降することにより前記建物開口部を全開した全開状態と、を切り替える開閉部と、上方へ開口された開口部を有し、前記開口部を介して前記開閉部を内部に収納可能な収納ボックスと、を具備するシャッター装置の技術は公知となっている。例えば、特許文献１に記載の如くである。
【０００３】
特許文献１に記載のシャッター装置は、上昇することにより建物開口部を全閉した全閉状態と、下降することにより前記建物開口部を全開した全開状態と、を切り替えるシャッターカーテン（開閉部）と、上方へ開口された開口部を有し、前記開口部を介してシャッターカーテンを内部に収納可能なカーテン収納部（収納ボックス）と、を具備する。
【先行技術文献】
【特許文献】
【０００４】
【特許文献１】特開２０１１−１２２３３８号公報
【発明の概要】
【発明が解決しようとする課題】
【０００５】
しかしながら、前記シャッター装置においては、全閉状態において、カーテン収納部の開口部の内側においてシャッターカーテンが位置していない部分に上下方向に連通する隙間が形成され、当該隙間を介して雨水や異物等がカーテン収納部（収納ボックス）の内部に侵入する可能性があった。
【０００６】
本発明は、以上の如き状況を鑑みてなされたものであり、その解決しようとする課題は、全閉状態において雨水や異物等が収納ボックスの内部に侵入するのを抑制することができるシャッター装置を提供するものである。
【課題を解決するための手段】
【０００７】
本発明の解決しようとする課題は以上の如くであり、次にこの課題を解決するための手段を説明する。
【０００８】
即ち、請求項１においては、昇降可能に設けられ、上昇することにより建物開口部を全閉した全閉状態と、下降することにより前記建物開口部を全開した全開状態と、を切り替える開閉部と、上方へ開口された開口部を有し、前記開口部を介して前記開閉部を内部に収納可能な収納ボックスと、昇降可能に設けられ、前記全閉状態において前記収納ボックスの前記開口部を塞ぐ閉塞手段と、を具備するものである。
【０００９】
請求項２においては、前記閉塞手段は、前記開閉部の下端部に連結され、当該開閉部と連動して昇降可能に構成されるものである。
【００１０】
請求項３においては、前記開閉部は、上下方向に並設された複数のスラットの集合体であって、前記閉塞手段は、前記複数のスラットのうち一部のスラットを用いて形成されているものである。
【００１１】
請求項４においては、前記複数のスラットは、それぞれ立ち上がった状態である立ち上がり状態と、横たわった状態である横たわり状態と、に姿勢を切り替え可能に構成され、前記横たわり状態であった前記一部のスラットを、前記立ち上がり状態に切り替えることにより前記収納ボックスの前記開口部を塞ぐものである。
【００１２】
請求項５においては、前記一部のスラットは、少なくとも２つ以上のスラットであるものである。
【発明の効果】
【００１３】
請求項１においては、全閉状態において雨水や異物等が収納ボックスの内部に侵入するのを抑制することができる。
【００１４】
請求項２においては、全閉状態において雨水や異物等が収納ボックスの内部に侵入するのを抑制することができる。
【００１５】
請求項３においては、スラットを用いた簡易な構成により、雨水や異物等が収納ボックスの内部に侵入するのを抑制することができる。
【００１６】
請求項４においては、スラットを用いた簡易な構成により、雨水や異物等が収納ボックスの内部に侵入するのを抑制することができる。
【００１７】
請求項５においては、スラットを用いた簡易な構成により、雨水や異物等が収納ボックスの内部に侵入するのを抑制することができる。
【図面の簡単な説明】
【００１８】
【図１】室内から見た住宅を示した投影図。
【図２】同じく、一部側面断面図。
【図３】シャッター装置を示した正面図。
【図４】図２におけるＡ−Ａ断面図。
【図５】シャッター装置の要部拡大側面断面図。
【図６】収納開口部近傍を示した拡大側面断面図。
【図７】リンク機構及び昇降機構を示した模式図。
【図８】開閉部を上昇させ始めた様子を示した側面断面図。
【図９】回動する直前の開閉部を示した側面断面図。
【図１０】全閉状態となった場合におけるリンク機構及び昇降機構を示した模式図。
【図１１】全閉状態を示した側面断面図。
【図１２】異物が開閉部と収納開口部との間に引き込まれる様子を示した側面断面図。
【図１３】前側センサが異物を検知する様子を示した側面断面図。
【図１４】（ａ）ケースの近傍を示した一部側面断面図。（ｂ）ケースの平面図。
【図１５】上側空間に入り込んだ雨水を排出する様子を示した側面断面図。
【図１６】下側空間に入り込んだ雨水を排出する様子を示した側面断面図。
【図１７】収納ボックスに異物が侵入した状態を示した側面断面図。
【図１８】最上位のスラット及び後側閉塞部材を取り外した状態を示した側面断面図。
【図１９】第一変形例に係る最上位のスラットを示した側面断面図。
【図２０】第一変形例に係る最上位のスラットが上方から押圧された状態を示した側面断面図。
【図２１】第二変形例に係る最上位のスラットを示した側面断面図。
【図２２】変形例に係る連動部材を示した側面断面図。
【図２３】変形例に係る開閉部を示した側面断面図。
【図２４】変形例に係る開閉部により収納開口部を閉じた状態を示した側面断面図。
【図２５】第一変形例に係る排水構造を示した側面断面図。
【図２６】第二変形例に係る排水構造を示した平面断面図。
【発明を実施するための形態】
【００１９】
以下の説明においては、図中に記した矢印に従って、上下方向、左右方向及び前後方向をそれぞれ定義する。
【００２０】
以下では、本実施形態に係るシャッター装置１０を具備する住宅１について説明する。なお、以下においては、住宅１の室内側を後側、室外側を前側として説明する。
【００２１】
図１及び図２に示す住宅１は、人が居住するための建物である。住宅１は、基礎２、土台３、屋内床４、屋内天井５、建物開口部６、サッシ７、屋外床８、屋外天井９及びシャッター装置１０を具備する。
【００２２】
基礎２は、住宅１を地盤（不図示）に固定するためのものである。土台３は、基礎２の上部に固定される部材である。
【００２３】
屋内床４は、住宅１の屋内の床を成す部分である。屋内床４は、合板等によって構成され、土台３の上部に設けられる。
【００２４】
屋内天井５は、屋内の天井を成す部分である。屋内天井５は、合板等によって構成され、屋内床４に対して上方に間隔をあけて配置される。
【００２５】
建物開口部６は、住宅１の屋内側と屋外側とを連通する部分である。建物開口部６は、住宅１の外壁が適宜開口されることで、屋内床４の前方に形成される。
【００２６】
サッシ７は、建物開口部６を開閉するためのものである。サッシ７は、建物開口部６の内側に設けられる。サッシ７は、枠体７ａ及びガラス戸７ｂを具備する掃き出しサッシによって構成される。
【００２７】
枠体７ａは、建物開口部６の内側面に設置され、屋内床４から屋内天井５までに亘って開口するように設けられる。枠体７ａは、その開口の下部が屋内床４の床面（上面）と略同一の高さに配置されると共に、その開口の上部が屋内天井５の天井面（下面）の高さと略同一の高さに配置される。枠体７ａは、その前部が基礎２（屋内床４が設けられる部分）よりも前方に配置される。
【００２８】
ガラス戸７ｂは、建物開口部６（枠体７ａの開口部分）を開閉する部材である。ガラス戸７ｂは、枠体７ａに嵌め合わされて左右方向に摺動可能に支持される。
【００２９】
屋外床８は、屋外の床を成す部分である。屋外床８は、合板等によって構成され、サッシ７（建物開口部６）を挟んで屋内床４の前方に設けられる。屋外床８は、その床面（上面）の高さが屋内床４の床面の高さと略同一の高さとなるように構成される。
【００３０】
屋外天井９は、屋外の天井を成す部分である。屋外天井９は、合板等によって構成され、サッシ７を挟んで屋内天井５の前方に設けられる。屋外天井９は、その天井面（下面）の高さが屋内天井５の天井面の高さと略同一の高さとなるように構成される。
【００３１】
図２及び図３に示すシャッター装置１０は、サッシ７の前方において建物開口部６を開閉するためのものである。シャッター装置１０は、収納ボックス２０、縦枠３０、アタッチメント４０、開閉部５０、連動部材８０、検知部９０、リンク機構１００（図７参照）及び昇降機構１１０（図７参照）等を具備する。なお、以下においては、図２及び図３に示すような、建物開口部６を全開した全開状態である場合を基準として、シャッター装置１０の構成を説明する。
【００３２】
収納ボックス２０は、後述する開閉部５０等を収納するためのものである。収納ボックス２０は、ボックス本体２１、ケース２２、パーティション２３及び後側閉塞部材２４を具備する。
【００３３】
図２から図４までに示すボックス本体２１は、その上部及び後部が開口する略箱状に形成される。なお、図４は図２のＡ−Ａ断面であるが、説明の便宜上、開閉部５０等の記載を省略している。ボックス本体２１は、サッシ７と屋外床８との間に配置される。ボックス本体２１は、その上端部が屋内床４及び屋外床８と略同一の高さに配置される。ボックス本体２１は、底部２１ａ、前壁部２１ｂ、側壁部２１ｃ及び収納開口部２１ｄを具備する。
【００３４】
底部２１ａは、略板状に形成され、その板面が前方向に向かうにつれて下方へ傾斜するように配置される。底部２１ａは、その後端部が基礎２の近傍に配置される。
【００３５】
前壁部２１ｂは、ボックス本体２１の前部を構成する部分である。前壁部２１ｂは、底部２１ａの前端部に設けられる。
【００３６】
側壁部２１ｃは、ボックス本体２１の左部及び右部を構成する部分である。側壁部２１ｃは、底部２１ａの左端部及び右端部に設けられる。側壁部２１ｃは、その後部の上下方向幅（高さ）が他の部分の上下方向幅よりも小さくなるように形成され、当該後部がサッシ７の枠体７ａの下方に潜り込むように配置される。こうして、ボックス本体２１は、サッシ７の前下部に設けられる。
【００３７】
収納開口部２１ｄは、開閉部５０を出入りさせるためのものである。収納開口部２１ｄは、ボックス本体２１のうち、上部において開口する部分である。
【００３８】
以上の如く構成されたボックス本体２１内に、ケース２２、パーティション２３及び後側閉塞部材２４が設けられる。また、ボックス本体２１には、縦枠３０及びアタッチメント４０も設けられる。以下では、ケース２２、パーティション２３及び後側閉塞部材２４の説明に際して縦枠３０及びアタッチメント４０の構成について説明する。
【００３９】
縦枠３０は、開閉部５０を案内するためのものである。縦枠３０は、その長手方向を上下方向に向けた矩形断面を有する略筒状に形成される。縦枠３０は、その下部が側壁部２１ｃの内側面に取り付けられて、ボックス本体２１から上方へ突出するように設けられる。縦枠３０は、その上端部が屋外天井９の近傍に配置される。縦枠３０は、左右方向に間隔をあけて一対設けられる。縦枠３０は、スリット３１を具備する。
【００４０】
図２及び図４に示すスリット３１は、縦枠３０の左右内側面に形成される。スリット３１は、縦枠３０の下端部から上端部近傍まで亘って形成される。スリット３１は、ストレート部３１ａ及び湾曲部３１ｂを具備する。
【００４１】
ストレート部３１ａは、直線状に形成される部分である。ストレート部３１ａは、上下方向に延びるように形成される。ストレート部３１ａは、スリット３１の下端部から上端部近傍までに亘って形成される。湾曲部３１ｂは、ストレート部３１ａの上端部から前上方に向けて延びる側面視略円弧状に形成される。
【００４２】
アタッチメント４０は、ボックス本体２１を住宅１に取り付けるためのものである。アタッチメント４０は、その長手方向を上下方向に向けた略筒状に形成される。アタッチメント４０は、左右方向に間隔をあけて一対設けられ、左右の縦枠３０とサッシ７との間に配置される。アタッチメント４０は、その下部が側壁部２１ｃの内側面に取り付けられると共に、その上部がサッシ７（枠体７ａ）に取り付けられる。
【００４３】
図５に示すケース２２は、後述する昇降機構１１０のモータ１１１を収納するためのものである。ケース２２は、その上部が開口する略箱状に形成される。ケース２２は、その下面が前方向に向かうにつれて下方へ傾斜するように形成される（図１４（ａ）参照）。ケース２２は、ボックス本体２１の底部２１ａに適宜取り付けられる。ケース２２は、載置部２２ａを具備する。
【００４４】
載置部２２ａは、後述するパーティション２３が載置される部分である。載置部２２ａは、その板面を上下方向に向けた略板状に形成される。載置部２２ａは、ケース２２の前上端部及び後上端部から、それぞれ前後方向内側へ突出するように形成される。前側の載置部２２ａは、後側の載置部２２ａよりも高い位置に配置される。
【００４５】
パーティション２３は、収納ボックス２０（ボックス本体２１）内の空間を上下に区画するための略板状の部材である。パーティション２３は、ボックス本体２１の内部において、スリット３１（ストレート部３１ａ）の下端部よりも高い位置に配置される。パーティション２３は、傾斜面２３ａを具備する。傾斜面２３ａは、パーティション２３の上面において、後方へ向かうにつれて下方に傾斜するように形成される。傾斜面２３ａは、パーティション２３の前端部及び後端部に形成された水平面を接続するように形成される。
【００４６】
このように構成されるパーティション２３は、ケース２２の載置部２２ａに載置され、ネジ等によって収納ボックス２０及びケース２２に取り外し可能に設けられる。これによって、パーティション２３は、ケース２２の上部を閉塞すると共に、収納ボックス２０内の空間を上下に区画する。なお、以下においては、パーティション２３により区画されたボックス本体２１内の空間のうち、上側の空間を「上側空間Ｓ１０」と称する。また、下側の空間を「下側空間Ｓ２０」と称する。
【００４７】
下側空間Ｓ２０には、ケース２２等が収納される。また、上側空間Ｓ１０の前部（縦枠３０と側面視で重なる部分）には、開閉部５０等が収納される。一方、上側空間Ｓ１０の後部（縦枠３０よりも後方の空間）には、特に部材が収納されることはない。以下では、上側空間Ｓ１０の前部（開閉部５０等が収納される部分）を「前側空間Ｓ１１」と称する。また、上側空間Ｓ１０の後部（特に部材が収納されない部分）を「後側空間Ｓ１２」と称する。
【００４８】
後側閉塞部材２４は、後側空間Ｓ１２を上方から閉塞するためのものである。後側閉塞部材２４は、収納ボックス２０の上端部の一部（より詳細には、収納開口部２１ｄの周縁の一部）を構成する。後側閉塞部材２４は、その長手方向を左右方向に向けた略筒状に形成される。後側閉塞部材２４は、サッシ７の枠体７ａの前方に配置される。後側閉塞部材２４は、化粧ネジ２４ａによって左右のアタッチメント４０の左右内側面に取り外し可能に設けられる。これにより、後側閉塞部材２４は、ボックス本体２１の上端部及び屋内床４と略同一の高さに配置され、後側空間Ｓ１２を閉塞する。
【００４９】
このように、本実施形態においては、後側閉塞部材２４により後側空間Ｓ１２が閉塞されることから、収納開口部２１ｄは、前側空間Ｓ１１の上端部で開口する部分となる。具体的には、収納開口部２１ｄは、前壁部２１ｂの内側面、縦枠３０の内側面及び後側閉塞部材２４の内側面で囲まれた部分となる。
【００５０】
開閉部５０は、建物開口部６の開閉を行う部材である。開閉部５０は、左側の縦枠３０と右側の縦枠３０との間に配置される。開閉部５０は、建物開口部６に対して相対的に上下方向に移動（昇降）可能に構成される。開閉部５０は、後述する支持機構１３０を介してリンク機構１００のアーム部材１０１に支持される。開閉部５０は、ネジ等を用いて支持機構１３０に取り付けられており、当該支持機構１３０から取り外し可能に構成される。開閉部５０は、上下方向に並んで設けられる複数のスラットを具備する。複数のスラットには、最上位のスラット６０及びスラット群７０が含まれる。
【００５１】
最上位のスラット６０は、複数のスラットのうち、最も上側に配置されるスラットである。最上位のスラット６０は、収納開口部２１ｄの上方に配置される。最上位のスラット６０は、後述する支持機構１３０、リンク機構１００及び昇降機構１１０によって回動可能、かつ昇降可能に構成される。最上位のスラット６０については、後述する。
【００５２】
スラット群７０は、複数のスラットのうち、最上位のスラット６０以外の（すなわち、最上位のスラット６０よりも下方に配置された）スラットの集合体である。スラット群７０は、最上位のスラット６０と後述する連動部材８０との間に配置される。スラット群７０は、各スラットが互いに隙間なく積み重ねられた状態で前側空間Ｓ１１に収納される。スラット群７０のスラットは、その前後中途部が上方へ凹んだ凹部を有する略板状に形成される。スラット群７０のスラットの凹部には、当該凹部内に空間を区画するように板部材が取り付けられる。こうして、板部材により、スラット群７０のスラットの剛性が高くなるように形成される。スラット群７０のスラットは、その前後方向幅が縦枠３０の前後方向幅と略同一の幅となるように形成され、収納開口部２１ｄを上下方向に通過可能（出入り可能）に構成される。スラット群７０は、支持機構１３０、リンク機構１００及び昇降機構１１０によって回動可能、かつ昇降可能に構成される。
【００５３】
連動部材８０は、後述するように、シャッター装置１０の全閉状態において、収納開口部２１ｄを閉塞するためのものである。連動部材８０は、その板面を上下方向に向けた略板状に形成される。連動部材８０は、開閉部５０（より詳細には、スラット群７０）の下方であって、左側の縦枠３０と右側の縦枠３０との間に配置される。連動部材８０は、開閉部５０と連動するように、建物開口部６に対して相対的に上下方向に移動（昇降）可能に構成される。連動部材８０は、支持機構１３０を介してリンク機構１００に支持される。開閉部５０は、ネジ等を用いて支持機構１３０に取り付けられており、当該支持機構１３０から取り外し可能に構成される。連動部材８０は、支持機構１３０、リンク機構１００及び昇降機構１１０によって、昇降可能、かつ（最上位のスラット６０及びスラット群７０とは異なり）回動不能に構成される。
【００５４】
検知部９０は、異物を検知するためのものである。なお、異物とは、シャッター装置１０の正常な動作やメンテナンスの妨げとなるようなものや、故障の原因となり得るもの等を指す。本実施形態においては、当該異物の一例として異物Ｂがあるものとして説明を行う。検知部９０は、上側センサ９１、前側センサ９２及び後側センサ９３を具備する。
【００５５】
図２に示す上側センサ９１は、収納開口部２１ｄの後上方において、異物Ｂを検知するためのものである。上側センサ９１は、アタッチメント４０の内側面に設けられ、左右方向に赤外線を照射可能に構成される。上側センサ９１は、異物Ｂに反射した微弱な赤外線を受光することで、収納開口部２１ｄの後上方にある異物Ｂを検知することができる。上側センサ９１は、上下方向に間隔をあけて２つ設けられる。
【００５６】
図６に示す前側センサ９２は、収納開口部２１ｄの内側において、異物Ｂを検知するためのものである。前側センサ９２は、テープスイッチによって構成される。前側センサ９２は、収納開口部２１ｄの内側に左右方向に亘るように設けられる。前側センサ９２は、凸状に形成される被押圧部９２ａを具備し、被押圧部９２ａが押圧されることで、内部に設けられた２つの電極が接触して導通状態となる。これによって、前側センサ９２は、異物Ｂを検知することができる。前側センサ９２は、被押圧部９２ａが後上方へ突出するような姿勢で、ボックス本体２１の前壁部２１ｂの内側面（上端部）に取り付けられる。
【００５７】
後側センサ９３は、前側センサ９２と同様にテープスイッチによって構成され、被押圧部９３ａが押圧されることで異物Ｂを検知することができる。後側センサ９３は、収納開口部２１ｄの内側に左右方向に亘るように設けられる。後側センサ９３は、被押圧部９３ａが前上方へ突出するような姿勢で、後側閉塞部材２４の内側面に取り付けられる。
【００５８】
図７に模式的に示す支持機構１３０は、複数のスラット（最上位のスラット６０及びスラット群７０）及び連動部材８０をリンク機構１００に支持させるためのものである。支持機構１３０は、複数の支持部材１３１を具備する。
【００５９】
図８に示す支持部材１３１は、最上位のスラット６０及びスラット群７０の各スラットと、後述するリンク機構１００のアーム部材１０１と、の間に配置される。支持部材１３１は、アーム部材１０１から、縦枠３０のスリット３１を介して、スラット側に延びるように形成される。支持部材１３１のスラット側の端部は、スラットの凹部内の空間に挿入され、当該スラットに固定される。これにより、各スラットは、アーム部材１０１（リンク機構１００）に支持される。また、支持部材１３１の中途部（軸部）は、縦枠３０のスリット３１内に位置するように形成される。こうして、支持部材１３１は、アーム部材１０１が昇降する場合に、当該支持部材１３１の軸部が縦枠３０のスリット３１に案内され、当該アーム部材１０１と一体的に昇降可能に構成される。
【００６０】
図７に模式的に示すように、リンク機構１００は、複数のスラット（最上位のスラット６０及びスラット群７０）を回動可能、かつ隣接するスラットが互いに近接離間自在に連結するためのものである。また、リンク機構１００は、連動部材８０を回動不能、かつスラット群７０に対して近接離間自在に連結するためのものである。リンク機構１００は、左右の縦枠３０内にそれぞれ配置される。リンク機構１００は、複数のアーム部材１０１と、複数のリンク部材１０２と、を具備する。
【００６１】
アーム部材１０１は、支持機構１３０（支持部材１３１）を介して、スラットを支持するものである。アーム部材１０１は、長手状に形成される。アーム部材１０１の長手方向中央部には、支持部材１３１が設けられる。アーム部材１０１は、複数設けられ、上下方向に並ぶように配置される。
【００６２】
リンク部材１０２は、アーム部材１０１の前端部及び後端部に回動自在に連結するものである。リンク部材１０２は、上下に隣接するアーム部材１０１を互いに回動可能に連結する。こうして、リンク部材１０２は、最上位のスラット６０及びスラット群７０において上下に隣接する２つのスラットを互いに近接離間自在に連結している。また、リンク部材１０２には、上下方向に互いに隣接する他のリンク部材１０２との間で、相互に一定以上回動しないように（折りたたまれるときに常に同じ方向に折りたたまれるように）互いの姿勢を規制する規制手段（不図示）が形成される。
【００６３】
図７に模式的に示す昇降機構１１０は、開閉部５０を昇降させるためのものである。昇降機構１１０は、モータ１１１（図５参照）、スプロケット１１２、チェーン１１３、下側昇降部材１１４、上側昇降部材１１５及び連結部材１１６を具備する。
【００６４】
図５に示すモータ１１１は、開閉部５０を駆動させるためのものである。モータ１１１は、ケース２２に収納される。モータ１１１は、ケース２２（下側空間Ｓ２０）の底面に対して上方に離間した状態（浮いた状態）で配置される。
【００６５】
図７に示すスプロケット１１２は、後述するチェーン１１３にモータ１１１の動力を伝達するためのものである。スプロケット１１２は、上下方向に間隔をあけて縦枠３０内に２つ設けられる。
【００６６】
チェーン１１３は、上下のスプロケット１１２の外周に巻き掛けられる。チェーン１１３は、有端状に形成され、縦枠３０に案内されて上下のスプロケット１１２の間を周回することができる。
【００６７】
下側昇降部材１１４は、チェーン１１３の周回動作によってアーム部材１０１を昇降させるものである。下側昇降部材１１４は、側面視略Ｔ字状に形成され、その前端部がチェーン１１３の一端部と連結される。下側昇降部材１１４には、上下方向に離間した２つのピンが形成される。当該２つのピンは、下側昇降部材１１４の上端部近傍と下端部に形成され、軸方向中途部が縦枠３０のスリット３１に挿通される。こうして、下側昇降部材１１４が昇降する場合には、前記２つのピンがスリット３１に案内されることにより、当該下側昇降部材１１４の姿勢が傾動するように変更される。なお、下側昇降部材１１４の下端部は、下側のピンを介して、最上位のスラット６０に連結されたアーム部材１０１（以下、「最上位のアーム部材１０１」と称する）と連結される。
【００６８】
上側昇降部材１１５は、縦枠３０のスリット３１に沿って昇降するものである。上側昇降部材１１５は、側面視略逆Ｖ字状に形成される。上側昇降部材１１５は、その後下端部が下側昇降部材１１４の後端部と連結される。上側昇降部材１１５は、その上端部にスリット３１を摺動するピン１１５ａが挿通される。
【００６９】
連結部材１１６は、上側昇降部材１１５と最上位のアーム部材１０１とを連結するものである。連結部材１１６は、その上端部が上側昇降部材１１５の前下端部と連結される。連結部材１１６は、その下端部が最上位のアーム部材１０１の前端部と連結される。
【００７０】
次に、図５及び図６を参照して最上位のスラット６０について説明する。
【００７１】
最上位のスラット６０は、本体部６１及びビート６２を具備する。
【００７２】
本体部６１は、全開状態において収納開口部２１ｄを閉塞するためのものである。本体部６１は、その板面を略上下方向に向けた略板状に形成される。本体部６１は、収納開口部２１ｄを閉塞可能となるように、収納開口部２１ｄよりも大きな形状に形成される。具体的には、本体部６１は、その前後方向幅が収納開口部２１ｄの前後方向幅よりも大きく、かつ、左側の縦枠３０から右側の縦枠３０までに亘るように形成される。本体部６１は、収納開口部２１ｄの上方において、前壁部２１ｂと後側閉塞部材２４とを跨ぐように配置される。本体部６１は、その前端部が前壁部２１ｂよりも前方に配置される。本体部６１は、傾斜面６１ａ、係止部６１ｂ、前側突出部６１ｃ及び後側突出部６１ｄを具備する。
【００７３】
傾斜面６１ａは、本体部６１の上面である。傾斜面６１ａは、前方に向かうにつれて下方へ傾斜するように形成される。傾斜面６１ａには、前後方向に間隔をあけて複数の凹部が形成される。これにより、最上位のスラット６０に人が載ったときに、傾斜面６１ａが滑り難くなる（滑り止めとして機能する）ようにしている。
【００７４】
係止部６１ｂは、ボックス本体２１の前壁部２１ｂの変形を規制するためのものである。係止部６１ｂは、本体部６１の前端部から下方へ突出するように形成される。係止部６１ｂは、本体部６１の左端部から右端部までに亘って形成される。係止部６１ｂは、前壁部２１ｂと対向する。
【００７５】
前側突出部６１ｃは、前側センサ９２の被押圧部９２ａを押圧するためのものである。前側突出部６１ｃは、本体部６１の下面から後下方へ突出するように形成される。前側突出部６１ｃは、前側センサ９２が反応しないように（被押圧部９２ａを押圧しない程度に）、その上下中途部が前側センサ９２の被押圧部９２ａに対して軽く接触している。こうして、前側突出部６１ｃは、前側センサ９２の被押圧部９２ａと当接した状態で配置されている。
【００７６】
後側突出部６１ｄは、後側センサ９３の被押圧部９３ａを押圧するためのものである。後側突出部６１ｄは、本体部６１の下面から前下方へ突出するように形成される。後側突出部６１ｄは、後側センサ９３が反応しないように（被押圧部９３ａを押圧しない程度に）、その上下中途部が後側センサ９３の被押圧部９３ａに対して軽く接触している。こうして、後側突出部６１ｄは、後側センサ９３の被押圧部９３ａと当接した状態で配置されている。
【００７７】
ビート６２は、建物開口部６を全閉した全閉状態（図１１参照）において、本体部６１と屋外天井９との間を塞ぐためのものである。ビート６２は、略板状に形成された樹脂によって弾性変形可能に構成される。ビート６２は、その左右方向幅が本体部６１の左右方向幅と略同一の幅となるように形成される。ビート６２は、本体部６１の後端部に取り付けられ、その後端部がサッシ７の枠体７ａの前端部と当接する。
【００７８】
このように構成される最上位のスラット６０は、ボックス本体２１の前壁部２１ｂの上端部に対して上方に僅かに隙間をあけて配置される。また、最上位のスラット６０は、スラット群７０に対して上方に所定範囲内の間隔をあけて配置される。
【００７９】
シャッター装置１０は、以上のように構成された最上位のスラット６０やスラット群７０等により、建物開口部６を開閉することができる。
【００８０】
以下では、図５、図７から図１１までを参照してシャッター装置１０の開閉動作について説明する。なお、以下においては、図５に示す全開状態から全閉状態となるまでの動作を例に挙げて、シャッター装置１０の動作を説明する。
【００８１】
シャッター装置１０は、モータ１１１を駆動させて図７に示すスプロケット１１２を回動させ、チェーン１１３を周回させる。これにより、下側昇降部材１１４、上側昇降部材１１５、連結部材１１６及び最上位のアーム部材１０１は上昇する。このとき、上側昇降部材１１５は、ピン１１５ａがストレート部３１ａを摺動して図７に示す姿勢のままで上昇する。こうして、最上位のスラット６０は、回動することなく上昇する。収納開口部２１ｄは、最上位のスラット６０の上昇により開放される。
【００８２】
最上位のスラット６０が上昇すると、最上位のスラット６０とその下方に隣接するスラット７０（以下、「１つ下のスラット７０」と称する）とを連結するリンク部材１０２は、その長手方向が上下方向を向くように回動する。そして、リンク部材１０２がこれ以上回動できなくなる（前記規制手段により回動が規制される向きとなるまで回動する）と、１つ下のスラット７０に連結されるアーム部材１０１が上昇する。
【００８３】
これにより、図８に示すように、１つ下のスラット７０は、最上位のスラット６０と共に上昇し、収納開口部２１ｄから前側空間Ｓ１１の上方へと移動する。こうして、上方に配置されるスラット６０・７０から順番に上昇される。当該上昇により、スラット群７０のうち、最も下方に配置されるスラット７０が上昇すると、図９に示すように、連動部材８０は上昇する。
【００８４】
図９に示す状態からモータ１１１がさらに駆動すると、図１０に示すように、上側昇降部材１１５のピン１１５ａは、ストレート部３１ａから湾曲部３１ｂへ移動し、湾曲部３１ｂに沿って前上方へ案内される。また、上側昇降部材１１５の後下部は、上昇している下側昇降部材１１４によって、ピン１１５ａを中心として回動するように押圧される。こうして、上側昇降部材１１５は、ピン１１５ａの移動と共に、図１０における反時計回り方向へ回動される。上側昇降部材１１５の回動し始めると、アーム部材１０１は、その前端部が下方へ押し込まれ、図１０における反時計回り方向へ回動する。こうして、図１１に示すように、最上位のスラット６０及びスラット群７０は、反時計回り方向に約９０度回動し、その板面が前後方向を向くようになる。これによって、最上位のスラット６０及びスラット群７０は、その板面が上下方向を向いた（横たわった）状態から前後方向を向いた（立ち上がった）状態に姿勢が変更される。これにより、シャッター装置１０は、建物開口部６を全閉する（全閉状態に切り替わる）。
【００８５】
なお、連動部材８０は、アーム部材１０１の回動によって回動することはなく、全閉状態においてその板面が上下方向を向いたままで、収納開口部２１ｄの内側に配置される。これにより、連動部材８０は、全閉状態において収納開口部２１ｄを塞ぐことができる。これによれば、全閉状態において収納開口部２１ｄを介して収納ボックス２０の内部に異物Ｂや雨水等が侵入するのを抑制することができる。なお、本実施形態において、収納開口部２１ｄを塞ぐとは、当該収納開口部２１ｄをほぼ隙間なく閉じた状態となることだけでなく、ある程度の隙間をあけて閉じた状態となることも含んでいる。
【００８６】
また、シャッター装置１０は、収納開口部２１ｄの閉塞に回動不能な連動部材８０を用いることで、開閉部５０の上昇動作を利用して収納開口部２１ｄを簡単に塞ぐことができる。また、連動部材８０を回動させなくて済むため、全閉状態で収納開口部２１ｄを塞ぐための構成を簡素化することができる。
【００８７】
なお、シャッター装置１０は、建物開口部６を開く場合、モータ１１１を駆動させて建物開口部６を開いた場合とは反対方向にスプロケット１１２を回動させる。これにより、スラットは、図１１における時計回り方向（建物開口部６を開いた場合とは反対方向）に回動しつつ下降して建物開口部６を開くことになる。
【００８８】
より詳細には、図５に示すように、スラット群７０及び連動部材８０は、下降して収納開口部２１ｄから前側空間Ｓ１１に収納される。また、スラット群７０は、リンク部材１０２が折りたたまれて上下に隙間なく積み重ねられる。
【００８９】
一方、最上位のスラット６０は、図５及び図６に示すように、下降しても前側空間Ｓ１１に収納されることはなく、その板面を略上下方向に向けた状態でボックス本体２１の上方に配置される。これにより、最上位のスラット６０は、全開状態において収納開口部２１ｄを塞ぐことができる。これによれば、全開状態において収納開口部２１ｄを介して収納ボックス２０の内部に異物Ｂや雨水が侵入するのを抑制することができる。
【００９０】
ここで、最上位のスラット６０は、全開状態において人が載る等して上方から押圧される（下方への荷重がかかる）と、揺動したり撓んだりして下方へ変位してボックス本体２１の前壁部２１ｂと当接する。前壁部２１ｂは、当該最上位のスラット６０を介して上方から押圧され、前方へ倒れる（収納開口部２１ｄが広がる）ように変形しようとする。本実施形態に係る最上位のスラット６０によれば、当該前壁部２１ｂに係止部６１ｂを当接させることができる。これにより、係止部６１ｂは、前壁部２１ｂを支持することができるため、前壁部２１ｂの変形を規制することができる。
【００９１】
また、最上位のスラット６０は、全開状態において、１つ下のスラット７０に対して隙間をあけて配置されている。このような構成によれば、スラット６０・７０の間に異物Ｂが挟まったままで全開状態となった場合でも、最上位のスラット６０が押し上げられるのを抑制することができる。
【００９２】
具体的には、最上位のスラット６０と１つ下のスラット７０との隙間に異物Ｂが侵入した場合、当該異物Ｂが最上位のスラット６０と１つ下のスラット７０との間に挟まって最上位のスラット６０が押し上げられるのを抑制することができる。
【００９３】
また、スラット群７０において隣接する２つのスラットに異物Ｂが挟まってスラット群７０が浮き上がったとしても、全開状態において最上位のスラット６０と１つ下のスラット７０との間に隙間があるので、最上位のスラット６０が押し上げられることはない。
【００９４】
また、最上位のスラット６０は、本体部６１の傾斜面６１ａによって、全開状態において傾斜面６１ａに載った異物Ｂや雨水を前方、すなわち屋外へ排出することができる。
【００９５】
また、図１及び図２に示すように、住宅１は、上昇することで建物開口部６（サッシ７）を閉塞するシャッター装置１０を備えることで、ボックス本体２１（収納ボックス２０）をサッシ７の前下部に配置して、屋内天井５及び屋外天井９の天井面に段差が生じるのを抑制できる。これによって、屋内側から屋外側まで面一となった天井面を形成できるため、住宅１の居住者の心地よさを向上させることができる。
【００９６】
また、シャッター装置１０は、全開状態において最上位のスラット６０で収納開口部２１ｄを塞ぐことで、収納開口部２１ｄを見え難くして屋内床４と屋外床８とで連続した床面を形成できる。このため、住宅１の居住者の心地よさを向上させることができる。
【００９７】
また、収納開口部２１ｄは、屋内床４及び屋外床８の床面と略同一の高さに配置されている。これによって、ボックス本体２１により屋内床４と屋外床８との間に段差が生じないようにして、屋内側から屋外側まで面一となった床面を形成できる。このため、住宅１の居住者の心地よさを向上させることができる。
【００９８】
また、図１１に示すように、最上位のスラット６０は、全閉状態においてビート６２が屋外天井９に当接する。これにより、ビート６２は、本体部６１と屋外天井９とを隙間なく塞いで、建物開口部６の遮断性を向上させることができる。これにより、最上位のスラット６０と屋外天井９との間から鳥や雨水等が侵入するのを抑制できる。また、最上位のスラット６０と屋外天井９との間から鳥や雨水等が侵入してくるかもしれないといった不快感を取り除き、住宅１の居住者の心地よさを向上させることができる。また、全閉状態において天井面と最上位のスラット６０との隙間を無くすために、最上位のスラット６０を受け入れるための枠体等を設ける必要がない。こうして、天井面における屋内側から屋外側までを一連とした一体感を醸し出すことができ、住宅１の居住者の心地よさを向上させることができる。
【００９９】
以下では、図２、図１２及び図１３を参照してシャッター装置１０による検知部９０を用いた開閉部５０の昇降の制御について説明する。
【０１００】
シャッター装置１０は、検知部９０の検知結果を取得可能な所定の制御部を具備し、当該制御部が検知部９０の検知結果に基づいて開閉部５０の昇降を制御する。
【０１０１】
具体的には、図２に示す上側センサ９１は、収納開口部２１ｄの後上方において、異物Ｂが赤外線を遮ると、当該異物Ｂを検知する。シャッター装置１０は、上側センサ９１の検知結果に基づいて、開閉部５０の昇降を停止する。また、シャッター装置１０は、上側センサ９１が異物Ｂを検知している間、開閉部５０の昇降を禁止する。これにより、シャッター装置１０は、収納開口部２１ｄの後上方（屋内側）にある異物Ｂと開閉部５０とが接触したり、下降する開閉部５０により異物Ｂが収納開口部２１ｄへ引き込まれるのを抑制することができる。
【０１０２】
また、上側センサ９１は、アタッチメント４０の内側面に取り付けられている。これによれば、アタッチメント４０の内側のスペースを有効に活用することができる。
【０１０３】
また、前側センサ９２及び後側センサ９３は、収納開口部２１ｄの内側に異物Ｂがある場合、当該異物Ｂを検知する。以下では、図１２及び図１３を用いて、前側センサ９２が異物Ｂを検知する場合を例に挙げて説明する。なお、図１２及び図１３では、白塗りで示す矢印が開閉部５０の移動方向を示している。また、図１３では、黒塗りで示す矢印が異物Ｂに作用する荷重の方向を示している。
【０１０４】
図１２に示すように、開閉部５０は、隣接する２つのスラット７０の間に異物Ｂが挟まった状態で下降すると、当該異物Ｂを下方へ押圧することとなる。こうして、スラット７０は、異物Ｂと共に下降することになる。
【０１０５】
当該異物Ｂは、図１３に示すように、ボックス本体２１の前壁部２１ｂ及びスラット７０に挟まれる。このとき、前側センサ９２の被押圧部９２ａは、異物Ｂと当接する。当該異物Ｂは、下降するスラット７０によって下方へさらに押圧されると、前下方の荷重が作用して被押圧部９２ａを押圧する。
【０１０６】
これにより、前側センサ９２は、異物Ｂを検知する。シャッター装置１０は、前側センサ９２が異物Ｂを検知すると、開閉部５０の下降を停止する。なお、シャッター装置１０は、開閉部５０の下降を停止させた後、例えば所定の時間（短時間）だけ開閉部５０を上昇させてもよい。
【０１０７】
これによれば、シャッター装置１０は、下降する開閉部５０によって、収納開口部２１ｄに異物Ｂが引き込まれ、収納開口部２１ｄの内部に異物Ｂが侵入するのを抑制することができる。また、開閉部５０や異物Ｂに負荷がかかって破損するのを抑制することができる。
【０１０８】
なお、収納開口部２１ｄの後部においてスラット７０により異物Ｂが下方へ押圧された場合、異物Ｂが後側センサ９３の被押圧部９３ａを押圧し、後側センサ９３が異物Ｂを検知する。この場合においても、シャッター装置１０は、前側センサ９２の場合と同様に、開閉部５０の下降を停止する。そして、シャッター装置１０は、所定の時間（短時間）だけ開閉部５０を上昇させる。これによって、収納開口部２１ｄの後部から異物Ｂが侵入するのを抑制することができる。
【０１０９】
また、本実施形態に係る前側センサ９２及び後側センサ９３の被押圧部９２ａ・９３ａは、斜め上に突出するような姿勢で配置される。このような構成によれば、異物Ｂに作用する荷重の方向に、被押圧部９２ａ・９３ａの突出方向を合わせることができるため、異物Ｂによって被押圧部９２ａ・９３ａが押圧され易くなる。このため、前側センサ９２及び後側センサ９３により異物Ｂを精度よく検知することができる。
【０１１０】
また、前述の如く、最上位のスラット６０は、図６に示す全開状態において、ボックス本体２１の前壁部２１ｂに対して僅かに隙間をあけて配置されている。当該構成において、最上位のスラット６０は、人が載る等して上方から押圧されると、揺動したり撓んだりして下方へ変位する。前側突出部６１ｃ及び後側突出部６１ｄは、当該変位により下方へ移動し、前側センサ９２及び後側センサ９３の被押圧部９２ａ・９３ａを押圧する。
【０１１１】
これにより、前側センサ９２及び後側センサ９３は、全開状態において、最上位のスラット６０の下方への変位を検知する。シャッター装置１０は、当該検知によって開閉部５０の昇降を禁止する。これによって、最上位のスラット６０が上方から押圧されている場合に、開閉部５０が上昇するのを防止することができる。これによって、上方からの押圧力に抗して開閉部５０が上昇しないようにして、開閉部５０やモータ１１１に負荷がかかるのを防止することができる。
【０１１２】
また、最上位のスラット６０が下方へ変位していない（上方から押圧されていない）場合において、最上位のスラット６０の前側突出部６１ｃ及び後側突出部６１ｄと、前側センサ９２及び後側センサ９３の被押圧部９２ａ・９３ａと、が当接している。このような構成によれば、最上位のスラット６０が下方へ変位した場合に、前側突出部６１ｃ及び後側突出部６１ｄで被押圧部９２ａ・９３ａを確実に押圧することができる。このため、最上位のスラット６０の下方への変位を精度よく検知することができる。
【０１１３】
また、シャッター装置１０においては、開閉部５０の下降時（建物開口部６を開くとき）に、開閉部５０を下降させるのに想定される負荷よりも高い負荷がモータ１１１にかかると、下降を停止して所定の時間（短時間だけ）開閉部５０を上昇させる。これによれば、検知部９０が異物Ｂを検知できずに異物Ｂが開閉部５０及び前壁部２１ｂの間に挟まる等しても、モータ１１１や開閉部５０に過剰な負荷がかかるのを抑制することができる。
【０１１４】
以下では、図１４から図１６までを参照して収納ボックス２０の排水構造について説明する。なお、図１４（ａ）、図１５及び図１６は、排水構造の説明のために、収納ボックス２０のうち、ケース２２が設けられる部分を切断した図である。
【０１１５】
図１４に示すように、シャッター装置１０は、排水構造として第一排出部１２１及び第二排出部１２２を具備する。
【０１１６】
第一排出部１２１は、上側空間Ｓ１０に侵入した雨水Ｗ（図１５参照）を排出するためのものである。また、第一排出部１２１は、収納ボックス２０と基礎２との間に形成される隙間である。具体的には、第一排出部１２１は、ボックス本体２１の底部２１ａの後端部、ケース２２の後端部及びパーティション２３の後端部と、基礎２と、の間に形成された隙間である。第一排出部１２１は、収納ボックス２０（ボックス本体２１）を基礎２に対して前方に僅かに間隔をあけて配置することで形成される。
【０１１７】
第二排出部１２２は、下側空間Ｓ２０に侵入した雨水Ｗを排出するためのものである。第二排出部１２２は、ケース２２の下面を貫通するように形成される。第二排出部１２２は、ケース２２の下面における前部（高さが低い部分）に形成される。第二排出部１２２は、前後方向及び左右方向に間隔をあけて複数形成される。
【０１１８】
シャッター装置１０は、収納開口部２１ｄが上方を向いているため、雨の日に開閉部５０を昇降させたりすると、図１５に示すように、収納開口部２１ｄから収納ボックス２０内（上側空間Ｓ１０）に雨水Ｗが侵入する可能性がある。当該雨水Ｗは、前壁部２１ｂや縦枠３０等を伝って下方へ移動し、パーティション２３に到達する。当該雨水Ｗは、パーティション２３の傾斜面２３ａを伝って後下方へ案内され、パーティション２３の後端部に到達する。
【０１１９】
パーティション２３の後端部に到達した雨水Ｗは、第一排出部１２１へ流されて第一排出部１２１を落下する。これにより、第一排出部１２１は、収納開口部２１ｄから侵入した雨水Ｗを、上側空間Ｓ１０から収納ボックス２０の外部へと排出することができる。
【０１２０】
これによれば、第一排出部１２１は、上側空間Ｓ１０に雨水Ｗが溜まるのを抑制することができるため、雨水Ｗによる腐食を抑制することができる。また、パーティション２３によって上側空間Ｓ１０から下側空間Ｓ２０へと雨水Ｗが侵入するのを抑制することができるため、モータ１１１に雨水Ｗが触れるのを抑制することができる。
【０１２１】
また、傾斜面２３ａを利用して前側空間Ｓ１１から第一排出部１２１へ雨水Ｗを案内することができる。これにより、第一排出部１２１から雨水Ｗを排出し易くすることができる。
【０１２２】
ここで、パーティション２３は、縦枠３０のスリット３１（ストレート部３１ａ）の下端部よりも高い位置に配置されている。また、パーティション２３は、縦枠３０、アタッチメント４０及び側壁部２１ｃに対して左右方向に僅かに隙間をあけて配置されている（図４参照）。
【０１２３】
このような構成によれば、豪雨等によって収納ボックス２０内に大量の雨水Ｗが侵入し、第一排出部１２１で雨水Ｗを排出しきれなくなった場合でも、当該雨水Ｗをスリット３１のストレート部３１ａ、及び縦枠３０等とパーティション２３との隙間から下方へと逃がすことができる。これにより、収納ボックス２０は、上側空間Ｓ１０に雨水Ｗが溜まるのを効果的に抑制することができる。
【０１２４】
また、図１６に示すように、スリット３１のストレート部３１ａ等から下方へ逃がされた雨水Ｗは、下側空間Ｓ２０へ流出することとなる。当該雨水Ｗは、下側空間Ｓ２０を下方へ移動してケース２２の下面に到達する。当該雨水Ｗは、ケース２２の下面を伝って前下方へ案内され、第二排出部１２２へ流されて第二排出部１２２を落下する。これにより、第二排出部１２２は、下側空間Ｓ２０へ逃がされた雨水Ｗを収納ボックス２０の外部へと排出することができる。
【０１２５】
これによれば、第二排出部１２２は、下側空間Ｓ２０へ雨水Ｗが逃がされたとしても、当該雨水Ｗが後側空間Ｓ１２に溜まるのを抑制することができる。このため、雨水Ｗによる腐食を抑制することができると共に、モータ１１１に雨水Ｗが触れるのを抑制することができる。
【０１２６】
以下では、図１７及び図１８を参照して収納ボックス２０のメンテナンスの手順について説明する。
【０１２７】
なお、以下においては、図１７に示すように、収納ボックス２０の内部に侵入した異物Ｂを取り除く場合を例に挙げて、メンテナンスの手順を説明する。
【０１２８】
図１７に示す異物Ｂは、収納開口部２１ｄから収納ボックス２０内に落下し、後側空間Ｓ１２に位置している。当該異物Ｂを取り除く場合、図１８に示すように、最上位のスラット６０及び後側閉塞部材２４が取り外される。
【０１２９】
これにより、上側空間Ｓ１０の上方が開放され、後側空間Ｓ１２の上方から手を伸ばせば異物Ｂを掴むことができるようになる。こうして、異物Ｂは収納開口部２１ｄの上方から取り除かれる。これによれば、ボックス本体２１の周囲（前方、左方及び右方）に屋外床８がある場合でも（図１及び図２参照）、当該屋外床８が邪魔になることなく収納ボックス２０をメンテナンスすることができる。また、スラット６０・７０のうち、１つのスラット６０を取り外せば異物Ｂを取り除くことができる。以上により、収納ボックス２０を簡単にメンテナンスすることができる。
【０１３０】
また、異物Ｂの大きさ等によっては、最上位のスラット６０及び後側閉塞部材２４を取り外しただけでは、当該異物Ｂを取り除けないことも想定される。このような場合でも、スラット群７０のスラットをいくつか取り外せば、異物Ｂを取り除くためのスペースを簡単に確保することができる。このため、収納ボックス２０を簡単にメンテナンスすることができる。
【０１３１】
また、本実施形態においては、最上位のスラット６０及びスラット群７０に加えて、連動部材８０及びパーティション２３も取り外し可能に構成されている。このため、全てのスラット６０・７０、連動部材８０及びパーティション２３を取り外せば、モータ１１１を上方からメンテナンスすることができる。このため、モータ１１１を簡単にメンテナンスすることができる。
【０１３２】
また、本実施形態に係るボックス本体２１は、特に部材が収納されない後側空間Ｓ１２を介して異物Ｂを取り除くことができる。このように、ボックス本体２１は、後側空間Ｓ１２をメンテナンス用のスペースとして用いることができるため、最上位のスラット６０及び後側閉塞部材２４を取り外すだけで、異物Ｂを取り除き易くすることができる。また、後側空間Ｓ１２を介してスラット群７０及び連動部材８０を取り外し易くすることもできる。このように、スラット群７０及び連動部材８０を取り外した場合には、ボックス本体２１の内側に比較的大きな空間（スペース）があくことになる。こうして、作業者は、例えばボックス本体２１の上方から、当該ボックス本体２１の内側の大きなスペースに容易にアクセスすることができる。これにより、作業者は、収納ボックス２０を簡単にメンテナンスすることができる。さらに、アタッチメント４０の内側に後側空間Ｓ１２を形成することで、アタッチメント４０の内側の空間を有効に活用することができる。
【０１３３】
また、本実施形態においては、後側閉塞部材２４を取り外すことで、当該後側閉塞部材２４に取り付けられた後側センサ９３もまとめて取り外すことができる。これにより、後側センサ９３を簡単にメンテナンスすることができる。
【０１３４】
また、パーティション２３は、後方（後側空間Ｓ１２）へ向かうにつれて傾斜する傾斜面２３ａを具備している。当該傾斜面２３ａによれば、パーティション２３に落下した異物Ｂを後側空間Ｓ１２へ案内することができる。これにより、異物Ｂを後側空間Ｓ１２に配置し易くして、ボックス本体２１から取り除き易くすることができる。
【０１３５】
以上の如く、本実施形態に係るシャッター装置１０は、昇降可能に設けられ、上昇することにより建物開口部６を全閉した全閉状態と、下降することにより前記建物開口部６を全開した全開状態と、を切り替える開閉部５０と、上方へ開口された収納開口部２１ｄ（開口部）を有し、前記収納開口部２１ｄを介して前記開閉部５０を内部に収納可能な収納ボックス２０と、を具備し、最上位のスラット６０（前記開閉部５０の最上部）は、前記全開状態において前記収納ボックス２０の前記収納開口部２１ｄを上方で塞ぐように、前記収納開口部２１ｄよりも大きく形成されているものである。
【０１３６】
このように構成することにより、全開状態において雨水Ｗや異物Ｂ等が収納ボックス２０の内部に侵入するのを抑制することができる。また、最上位のスラット６０が建物開口部６の開閉と、収納開口部２１ｄの開閉と、を兼用することとなるため、部品点数を減らして組付の手間を省くことができる。
【０１３７】
また、前記最上位のスラット６０には、前記全開状態において前記収納開口部２１ｄが広がるように変形するのを規制する係止部６１ｂ（規制手段）が設けられるものである。
【０１３８】
このように構成することにより、全開状態において最上位のスラット６０が収納ボックス２０を上方から押圧した場合であっても、収納ボックス２０の収納開口部２１ｄが広がるように変形するのを抑制することができる。
【０１３９】
また、前記係止部６１ｂは、前記全開状態において前記収納ボックス２０（ボックス本体２１の前壁部２１ｂ）の上端部に係止されることによって前記収納開口部２１ｄが変形するのを規制するものである。
【０１４０】
このように構成することにより、収納ボックス２０の上端部に係止部６１ｂが引っ掛かるだけの簡易な構成により、収納ボックス２０の収納開口部２１ｄが広がるように変形するのを抑制することができる。
【０１４１】
また、前記最上位のスラット６０は、前記全開状態において、前記収納ボックス２０の上端部の少なくとも一部との間に隙間をあけて配置され、前記シャッター装置１０は、前記最上位のスラット６０の変位を検知する前側センサ９２及び後側センサ９３（検知手段）を具備し、前記前側センサ９２及び後側センサ９３により前記全開状態にある前記最上位のスラット６０の変位が検知された場合に、前記開閉部５０の上昇を規制するものである。
【０１４２】
このように構成することにより、全開状態において最上位のスラット６０が上方から押圧されている場合に、開閉部５０が上昇するのを規制することができる。具体的には、最上位のスラット６０は、収納ボックス２０の上端部との間に隙間をあけて配置されることで、人が載った場合に上方から押圧されて収納ボックス２０に対して下方へ変位できるようになる。当該最上位のスラット６０の変位を前側センサ９２及び後側センサ９３で検知することで、最上位のスラット６０が上方から押圧されていることを把握できる。この場合に開閉部５０の昇降を規制すれば、全開状態において最上位のスラット６０が上方から押圧された場合に、開閉部５０が上昇するのを規制することができる。
【０１４３】
また、前記最上位のスラット６０には、下方へ突出するように形成された前側突出部６１ｃ及び後側突出部６１ｄ（突出部）が設けられ、前記前側突出部６１ｃ及び後側突出部６１ｄは、前記全開状態において前記前側センサ９２及び後側センサ９３と当接して形成されているものである。
【０１４４】
このように構成することにより、最上位のスラット６０が上方から押圧されていない状態において、前側突出部６１ｃ及び後側突出部６１ｄと前側センサ９２及び後側センサ９３とを予め近づけておくことができる。これによれば、最上位のスラット６０の変位に伴って、前側センサ９２及び後側センサ９３を前側突出部６１ｃ及び後側突出部６１ｄで確実に押圧することができる。このため、全開状態において最上位のスラット６０が上方から押圧されているのを精度よく検知することができる。
【０１４５】
また、前記開閉部５０は、上下方向に並設された複数のスラットの集合体であって、前記複数のスラットのうち互いに隣接するスラットは、上位のスラットに対して下位のスラットが所定の範囲内で近接離間自在に吊設され、前記複数のスラットのうち最上位のスラット６０は、前記全開状態において前記最上位の次に上位のスラット７０に対して前記所定の範囲内の間隔をあけて配置されているものである。
【０１４６】
このように構成することにより、収納ボックス２０内に異物Ｂが侵入した場合であっても、全開状態において当該異物Ｂの影響で最上位のスラット６０が押し上げられるのを抑制することができる。これによって、全開状態において、収納ボックス２０内に異物Ｂが侵入した場合であっても、最上位のスラット６０を当初の正常位置に配置することができる。
【０１４７】
なお、本実施形態に係る収納開口部２１ｄは、本発明に係る開口部の実施の一形態である。
また、本実施形態に係る最上位のスラット６０は、本発明に係る開閉部の最上部の実施の一形態である。
また、本実施形態に係る係止部６１ｂは、本発明に係る規制手段の実施の一形態である。
また、本実施形態に係る前側センサ９２及び後側センサ９３は、本発明に係る検知手段の実施の一形態である。
また、本実施形態に係る前側突出部６１ｃ、後側突出部６１ｄ及び後述する後側突出部１６１ｄは、本発明に係る突出部の実施の一形態である。
【０１４８】
また、以上の如く、本実施形態に係るシャッター装置１０は、昇降可能に設けられ、上昇することにより建物開口部６を全閉した全閉状態と、下降することにより前記建物開口部６を全開した全開状態と、を切り替える開閉部５０と、上方へ開口された収納開口部２１ｄ（開口部）を有し、前記収納開口部２１ｄを介して前記開閉部５０を内部に収納可能な収納ボックス２０と、前記収納開口部２１ｄの内側に設けられ、異物Ｂを検知する前側センサ９２及び後側センサ９３（検知手段）と、を具備し、前記前側センサ９２及び後側センサ９３により異物Ｂが検知された場合に、前記開閉部５０の昇降を停止させるものである。
【０１４９】
このように構成することにより、下降する開閉部５０により収納開口部２１ｄから収納ボックス２０内へと異物Ｂが引き込まれるのを抑制することができる。これにより、収納ボックス２０の収納開口部２１ｄを介して異物Ｂが当該収納ボックス２０の内部に侵入するのを抑制することができる。
【０１５０】
また、前記前側センサ９２及び後側センサ９３は、被押圧部９２ａ・９３ａを有し、前記被押圧部９２ａ・９３ａが押圧されたことを検知するスイッチである。
【０１５１】
このように構成することにより、異物Ｂが被押圧部９２ａ・９３ａを押圧するだけの簡易な構成により、収納ボックス２０の収納開口部２１ｄを介して異物Ｂが当該収納ボックス２０の内部に侵入するのを抑制することができる。
【０１５２】
また、前記前側センサ９２及び後側センサ９３は、前記被押圧部９２ａ・９３ａが前記収納開口部２１ｄの内側を向くように、前記収納開口部２１ｄの少なくとも一部の周縁に沿って設けられるものである。
なお、本実施形態において、収納開口部２１ｄの周縁は、収納開口部２１ｄの側壁を成す部位であり、具体的には、ボックス本体２１の前壁部２１ｂの上端部、後側閉塞部材２４の内側面、縦枠３０の内側面（前壁部２１ｂの上端部及び後側閉塞部材２４と略同一の高さとなる部分）である。
【０１５３】
このように構成することにより、収納開口部２１ｄの周縁と下降する開閉部５０との間で挟まれる異物Ｂを検知して、開閉部５０の昇降を停止することができる。これによって、異物Ｂが収納開口部２１ｄと開閉部５０との間に引き込まれるのを抑制することができる。
【０１５４】
また、前記前側センサ９２及び後側センサ９３は、前記被押圧部９２ａ・９３ａが斜め上方を向くように設けられるものである。
【０１５５】
このように構成することにより、収納開口部２１ｄの周縁と下降する開閉部５０との間で挟まれる異物Ｂにより、被押圧部９２ａ・９３ａが押圧され易くなる。これによって、前側センサ９２及び後側センサ９３で異物Ｂを検知し易くなるため、異物Ｂが収納開口部２１ｄと開閉部５０との間に引き込まれるのを、より精度よく抑制することができる。
【０１５６】
また、最上位のスラット６０（前記開閉部５０の最上部）は、前記全開状態において、前記収納ボックス２０の上端部の少なくとも一部との間に隙間をあけて配置され、前記前側センサ９２及び後側センサ９３は、前記最上位のスラット６０の変位を検知するものである。
【０１５７】
このように構成することにより、全開状態において最上位のスラット６０が上方から押圧されている場合に、開閉部５０が上昇するのを抑制することができる。
【０１５８】
また、前記最上位のスラット６０には、下方へ突出するように形成された前側突出部６１ｃ及び後側突出部６１ｄ（突出部）が設けられ、前記前側突出部６１ｃ及び後側突出部６１ｄは、前記全開状態において前記前側センサ９２及び後側センサ９３と当接して形成されているものである。
【０１５９】
このように構成することにより、全開状態において最上位のスラット６０が上方から押圧されているのを精度よく検知することができる。
【０１６０】
また、前記後側センサ９３は、前記収納ボックス２０の前記収納開口部２１ｄの一部を構成して取り外し可能に設けられた後側閉塞部材２４に取り付けられているものである。
【０１６１】
このように構成することにより、後側センサ９３と後側閉塞部材２４とをまとめて着脱できるため、後側センサ９３のメンテナンス性を向上させることができる。
【０１６２】
なお、本実施形態に係る収納開口部２１ｄは、本発明に係る開口部の実施の一形態である。
また、本実施形態に係る前側センサ９２及び後側センサ９３は、本発明に係る検知手段の実施の一形態である。
また、本実施形態に係る最上位のスラット６０は、本発明に係る開閉部の最上部の実施の一形態である。
また、本実施形態に係る前側突出部６１ｃ、後側突出部６１ｄ及び後述する後側突出部１６１ｄは、本発明に係る突出部の実施の一形態である。
【０１６３】
また、以上の如く、本実施形態に係るシャッター装置１０は、昇降可能に設けられ、上昇することにより建物開口部６を全閉した全閉状態と、下降することにより前記建物開口部６を全開した全開状態と、を切り替える開閉部５０と、上方へ開口された収納開口部２１ｄ（開口部）を有し、前記収納開口部２１ｄを介して前記開閉部５０を内部に収納可能な収納ボックス２０と、昇降可能に設けられ、前記全閉状態において前記収納ボックス２０の前記収納開口部２１ｄを塞ぐ連動部材８０（閉塞手段）と、を具備するものである。
【０１６４】
このように構成することにより、全閉状態において雨水Ｗや異物Ｂ等が収納ボックス２０の内部に侵入するのを抑制することができる。
【０１６５】
また、前記連動部材８０は、前記開閉部５０の下端部に連結され、当該開閉部５０と連動して昇降可能に構成されるものである。
【０１６６】
このように構成することにより、開閉部５０の昇降動作を利用して、全閉状態において収納開口部２１ｄを塞ぐことができるため、簡単な構成により、雨水Ｗや異物Ｂ等が収納ボックス２０の内部に侵入するのを抑制することができる。
【０１６７】
なお、本実施形態に係る収納開口部２１ｄは、本発明に係る開口部の実施の一形態である。
また、本実施形態に係る連動部材８０は、本発明に係る閉塞手段の実施の一形態である。
【０１６８】
また、以上の如く、本実施形態に係るシャッター装置１０は、昇降可能に設けられ、上昇することにより建物開口部６を全閉した全閉状態と、下降することにより前記建物開口部６を全開した全開状態と、を切り替える開閉部５０と、上方へ開口された収納開口部２１ｄ（開口部）を上端部に有し、前記収納開口部２１ｄを介して前記開閉部５０を内部に収納可能な収納ボックス２０と、を具備し、前記収納ボックス２０の前記上端部のうち、前記開口部の周縁を構成する少なくとも一部（後側閉塞部材２４）が取り外し可能に設けられているものである。
【０１６９】
このように構成することにより、収納ボックス２０の内部を上方からメンテナンスすることができる。このため、収納ボックス２０の周囲に構造物（例えば、屋外床８）や設備機器（例えば、エアコンの室外機）等がある場合でも、当該構造物等が邪魔になることなく収納ボックス２０の内部をメンテナンスすることができる。これにより、収納ボックス２０の内部のメンテナンス性の向上を図ることができる。
【０１７０】
また、前記開閉部５０は、取り外し可能に設けられるものである。
【０１７１】
このように構成することにより、開閉部５０を取り外して収納ボックス２０の内部をメンテナンスし易くすることができるため、収納ボックス２０の内部のメンテナンス性の一層の向上を図ることができる。
【０１７２】
また、前記収納ボックス２０の内部に収納され、前記開閉部５０を駆動するモータ１１１（駆動手段）を具備し、前記収納ボックス２０は、前記収納ボックス２０の内部に設けられ、前記モータ１１１が配置される下側空間Ｓ２０と、収納された前記開閉部５０が配置される上側空間Ｓ１０と、に区画すると共に、取り外し可能なパーティション２３（区画部材）を有するものである。
【０１７３】
このように構成することにより、開閉部５０とモータ１１１とを上下に並べて収納ボックス２０の幅（前後方向幅）を狭くすることができる。また、パーティション２３を取り外せば、モータ１１１を上方からメンテナンスすることができる。これにより、モータ１１１も含めて収納ボックス２０の内部のメンテナンス性の向上を図ることができる。
【０１７４】
また、前記収納ボックス２０の内部の前記上側空間Ｓ１０には、前記開閉部５０が収納される前側空間Ｓ１１（第一空間）と、前記前側空間Ｓ１１と互いに隣接する後側空間Ｓ１２（第二空間）と、が形成されているものである。
【０１７５】
このように構成することにより、開閉部５０が収納されない後側空間Ｓ１２を介して収納ボックス２０の内部をメンテナンスすることができる。これにより、収納ボックス２０の内部をメンテナンスし易くなって、収納ボックス２０の内部のメンテナンス性の一層の向上を図ることができる。
【０１７６】
また、前記後側閉塞部材２４の前記上端部の少なくとも一部は、前記後側空間Ｓ１２の上方に配置されているものである。
【０１７７】
このように構成することにより、後側閉塞部材２４を取り外せば後側空間Ｓ１２の上方から収納ボックス２０の内部をメンテナンスすることができる。これにより、収納ボックス２０の内部をよりメンテナンスし易くなって、収納ボックス２０の内部のメンテナンス性の一層の向上を図ることができる。
【０１７８】
なお、本実施形態に係る収納開口部２１ｄは、本発明に係る開口部の実施の一形態である。
また、本実施形態に係るモータ１１１は、本発明に係る駆動手段の実施の一形態である。
また、本実施形態に係るパーティション２３は、本発明に係る区画部材の実施の一形態である。
また、本実施形態に係る前側空間Ｓ１１は、本発明に係る第一空間の実施の一形態である。
また、本実施形態に係る後側空間Ｓ１２は、本発明に係る第二空間の実施の一形態である。
【０１７９】
なお、本実施形態において、連動部材８０は、前記支持機構、リンク機構１００及び昇降機構１１０によって、昇降可能、かつ回動不能に構成されるものとしたが、これに限定されない。例えば、連動部材８０は、リンク機構１００に支持されることなく、開閉部５０に吊設等されることにより、当該開閉部５０と連動するように昇降可能に構成されてもよい。
【０１８０】
また、以上の如く、本実施形態に係るシャッター装置１０は、昇降可能に設けられ、上昇することにより建物開口部６を全閉した全閉状態と、下降することにより前記建物開口部６を全開した全開状態と、を切り替える開閉部５０と、上方へ開口された収納開口部２１ｄ（開口部）を有し、前記収納開口部２１ｄを介して前記開閉部５０を内部に収納可能な収納ボックス２０と、を具備し、前記収納ボックス２０の内部を上側空間Ｓ１０と下側空間Ｓ２０とに区画すると共に、水平方向に対して傾斜して配置され、前記収納ボックス２０の内部に侵入した雨水Ｗを前記上側空間Ｓ１０の所定の場所に案内する板状のパーティション２３（区画部材）と、前記所定の場所と前記収納ボックス２０の外部とを連通する第一排出部１２１（第一の排水通路）と、が設けられるものである。
【０１８１】
このように構成することにより、上側空間Ｓ１０に侵入した雨水Ｗをパーティション２３から第一排出部１２１へと案内し、当該第一排出部１２１から収納ボックス２０の外部へと排出することができる。これにより、収納ボックス２０の内部の排水性の向上を図ることができる。
【０１８２】
また、前記第一排出部１２１は、前記収納ボックス２０と建物の基礎２との間に形成されているものである。
【０１８３】
このように構成することにより、基礎２側（後側）が開口した収納ボックス２０を基礎２に対して間隔をあけて設ければ、第一排出部１２１を形成できる。これにより、簡易な構成により、収納ボックス２０の内部の排水性の向上を図ることができる。
【０１８４】
また、前記収納ボックス２０の内部には、前記パーティション２３を介して前記上側空間Ｓ１０と前記下側空間Ｓ２０とを連通するスリット３１、並びに縦枠３０、アタッチメント４０及び側壁部２１ｃとパーティション２３との隙間（連通部）が設けられるものである。
【０１８５】
このように構成することにより、上側空間Ｓ１０に侵入した雨水Ｗが当該上側空間Ｓ１０で処理可能な量を超える場合には、前記雨水Ｗの一部を下側空間Ｓ２０に逃がすことができる。これにより、上側空間Ｓ１０に水が溜まるのを抑制することができる。
【０１８６】
また、前記収納ボックス２０の内部の前記下側空間Ｓ２０には、前記収納ボックス２０の外部と連通された第二排出部１２２（第二の排水通路）が設けられるものである。
【０１８７】
このように構成することにより、上側空間Ｓ１０から下側空間Ｓ２０に流出した（逃がした）雨水Ｗを排水することができる。これにより、下側空間Ｓ２０に水が溜まるのを抑制することができる。
【０１８８】
また、前記収納ボックス２０の内部の前記下側空間Ｓ２０には、前記開閉部５０を駆動するモータ１１１（駆動手段）が設けられ、前記モータ１１１は、前記下側空間Ｓ２０の底面に対して上方に離間した状態に設けられるものである。
【０１８９】
このように構成することにより、収納ボックス２０の内部に侵入した雨水Ｗが下側空間Ｓ２０に流出しても、当該雨水Ｗがモータ１１１の下方を流れることとなる。これにより、雨水Ｗでモータ１１１が濡れるのを抑制することができる。
【０１９０】
なお、本実施形態に係る収納開口部２１ｄは、本発明に係る開口部の実施の一形態である。
また、本実施形態に係るパーティション２３は、本発明に係る区画部材の実施の一形態である。
また、本実施形態に係る第一排出部１２１は、本発明に係る第一の排水通路の実施の一形態である。
また、本実施形態に係るスリット３１、並びに縦枠３０、アタッチメント４０及び側壁部２１ｃとパーティション２３との隙間は、本発明に係る連通部の実施の一形態である。
また、本実施形態に係る第二排出部１２２は、本発明に係る第二の排水通路の実施の一形態である。
また、本実施形態に係るモータ１１１は、本発明に係る駆動手段の実施の一形態である。
【０１９１】
以上の如く、本実施形態に係る住宅１は、建物の屋内天井５と、前記屋内天井５とほぼ同一の高さまでの開口を有するサッシ７（建具）と、前記屋内天井５とほぼ同一の高さの屋外天井９と、前記建物における屋内外を仕切ると共に、昇降可能に設けられ前記サッシ７の開口に対して開閉する開閉部５０と、前記サッシ７の下部に設けられ前記開閉部５０を収納する収納ボックス２０（収納部）と、を有するシャッター装置１０と、を具備するものである。
【０１９２】
このように構成することにより、収納ボックス２０により屋内天井５及び屋外天井９の天井面に段差が生じないようにすることができる。これによって、シャッター装置１０を備えながらも天井における屋内外の空間の連続性を確保し、住宅１の居住者の心地よさを向上させることができる。
【０１９３】
また、前記サッシ７は、掃き出しサッシである。
【０１９４】
このように構成することにより、屋内床４とサッシ７との高さが略同一となるため、床（ひいては、天井及び床の両方）における屋内外の空間の連続性を確保し、住宅１の居住者の心地よさを向上させることができる。
【０１９５】
また、前記シャッター装置１０のボックス本体２１の上面には、前記開閉部５０が出入りする収納開口部２１ｄが設けられ、前記収納開口部２１ｄには、当該収納開口部２１ｄを塞ぐ最上位のスラット６０（蓋）が設けられるものである。
【０１９６】
このように構成することにより、全開状態において収納開口部２１ｄを見え難くして、床（ひいては、天井及び床の両方）における屋内外の空間の連続性を確保し、住宅１の居住者の心地よさを向上させることができる。
【０１９７】
また、前記収納開口部２１ｄは、屋内床４とほぼ同一の高さである。
【０１９８】
このように構成することにより、ボックス本体２１と屋内床４の床面との間に段差が生じるのを防止することができる。これによって、床（ひいては、天井及び床の両方）における屋内外の空間の連続性を確保し、住宅１の居住者の心地よさを向上させることができる。
【０１９９】
また、屋外には、前記収納開口部２１ｄを介して屋内床４とほぼ同一の高さで連続する屋外床８を有するものである。
【０２００】
このように構成することにより、床（ひいては、天井及び床の両方）における屋内外の空間の連続性を確保し、住宅１の居住者の心地よさを向上させることができる。
【０２０１】
また、前記シャッター装置１０の前記開閉部５０は、前記サッシ７の開口に対して閉鎖した場合に、前記屋外天井９に当接されるものである。
【０２０２】
このように構成することにより、天井における開閉部５０よりも屋内側と屋外側の空間の遮断性を向上させ、住宅１の居住者の心地よさを向上させることができる。
【０２０３】
なお、本実施形態に係るサッシ７は、本発明に係る建具の実施の一形態である。
また、本実施形態に係る収納ボックス２０は、本発明に係る収納部の実施の一形態である。
また、本実施形態に係る最上位のスラット６０は、本発明に係る蓋の実施の一形態である。
【０２０４】
以上、本発明の実施形態を説明したが、本発明は上記構成に限定されるものではなく、特許請求の範囲に記載された発明の範囲内で種々の変更が可能である。
【０２０５】
例えば、シャッター装置１０は、住宅１に設けられたが、シャッター装置１０が設けられる建物は、住宅１に限定されるものではなく、店舗や商業施設等であってもよい。
【０２０６】
また、最上位のスラット６０は、全開状態において収納開口部２１ｄを塞ぐことが可能であれば、必ずしも係止部６１ｂ、前側突出部６１ｃ及び後側突出部６１ｄを具備している必要はない。最上位のスラット６０は、例えば、単なる平板状の部材であってもよい。
【０２０７】
また、最上位のスラット６０は、全開状態においてボックス本体２１の前壁部２１ｂに対して隙間をあけて配置されるものとしたが、これに限定されるものではなく、ボックス本体２１の前壁部２１ｂと当接していてもよい（図１９参照）。
【０２０８】
また、最上位のスラット６０は、全開状態において前側センサ９２及び後側センサ９３（すなわち、２つのセンサ）と当接するものとしたが、２つのうち１つのセンサと当接するものとしてもよい。すなわち、２つのセンサのうち１つのセンサは、被押圧部（被押圧部９２ａ又は被押圧部９３ａ）に対して、隙間を空けて配置されていてもよい。また、最上位のスラット６０が、上方から押圧された場合（例えば、人が載った場合）に被押圧部９２ａ・９３ａの少なくとも１つの押圧部を押圧可能であれば、被押圧部９２ａ・９３ａに対して隙間を空けて配置されていてもよい（図１９参照）。
【０２０９】
図１９は、第一変形例に係る最上位のスラット１６０を示すものである。最上位のスラット１６０は、全開状態においてボックス本体２１の前壁部２１ｂに上方から当接している点、並びに前側センサ９２及び後側センサ９３に対して隙間を空けて配置される点で、本実施形態に係る最上位のスラット６０と相違する。
【０２１０】
最上位のスラット１６０は、本体部１６１、及び本実施形態に係るビート６２よりも長さ（前後方向幅）が短いビート１６２を具備する。本体部１６１は、扁平面１６１ａ、肉厚部１６１ｂ、前側突出部１６１ｃ及び後側突出部１６１ｄを具備する。
【０２１１】
扁平面１６１ａは、本体部１６１の上面であり、水平面に対して平行な面である。肉厚部１６１ｂは、他の部分よりも厚みが厚くなるように形成される部分である。肉厚部１６１ｂは、本体部１６１の前端部に形成され、ボックス本体２１の前壁部２１ｂと当接する。前側突出部１６１ｃは、肉厚部１６１ｂの後下端部から後下方へ突出するように形成され、前側センサ９２の被押圧部９２ａに対して後上方向（前下方向）に隙間を空けて配置される。後側突出部１６１ｄは、本体部１６１の下面から前下方へ突出するように形成され、後側センサ９３の被押圧部９３ａに対して前上方向（後下方向）に隙間を空けて配置される。最上位のスラット１６０は、本体部１６１の後端部が後側閉塞部材２４に対して上方に隙間を空けて配置されることで、下方へ変位可能に構成される。また、本体部１６１の後端部と後側閉塞部材２４との隙間は、後側突出部１６１ｄと後側センサ９３の被押圧部９３ａとの隙間よりも大きくなるように形成される。すなわち、後側突出部１６１ｄと後側センサ９３の被押圧部９３ａとの隙間は、上下方向の距離が少なくとも本体部１６１の後端部と後側閉塞部材２４との隙間よりも小さくなるように離間して形成される。
【０２１２】
図２０に示すように、最上位のスラット１６０は、人が載る等して上方から押圧されると、揺動したり撓んだりして本体部１６１の後端部が下方へ変位する。後側突出部１６１ｄは、当該変位により下方へ移動し、後側センサ９３の被押圧部９３ａを押圧する。これにより、後側センサ９３は、全開状態において、最上位のスラット１６０の下方への変位を検知する。このように、最上位のスラット１６０は、本体部１６１の前端部ではなく、本体部１６１の後端部を下方へ変位させることで、前壁部２１ｂに極力荷重がかからないようにしている。これによって、前壁部２１ｂが変形するのを抑制することができる。最上位のスラット１６０は、人が載ることが想定される状況、例えば、本実施形態のようにボックス本体２１の上端部が屋内床４及び屋外床８と略同一の高さに配置される状況において用いられることが好適である。
【０２１３】
以上のように、最上位のスラット１６０には、下方へ突出するように形成された後側突出部１６１ｄ（突出部）が設けられ、後側突出部１６１ｄは、全開状態において後側センサ９３と上下方向の距離が少なくとも本体部１６１の後端部と後側閉塞部材２４との隙間隙間よりも小さくなるように離間して形成されているものである。
【０２１４】
このように構成することにより、後側突出部１６１ｄと後側センサ９３の被押圧部９３ａとの間に形成された隙間によって、上述の如き前側突出部６１ｃ及び後側突出部６１ｄの場合と比べて、最上位のスラット１６０の変位に対する検知に多少のゆとりをもたすことができる。このため、全開状態において、最上位のスラット１６０が上方から押圧されているのを精度よく検知することができると共に、検知するほどの程度ではなく最上位のスラット１６０が揺動したり撓んだりした場合に当該最上位のスラット１６０の変位が検知されるのを抑制することができる。
【０２１５】
また、最上位のスラット６０は、全閉状態において屋外天井９に当接するものとしたが、これに限定されるものではなく、例えば、全閉状態において屋外天井９に対して僅かに隙間をあけて配置されるものであってもよい（図２１参照）。
【０２１６】
図２１は、第二変形例に係る最上位のスラット２６０及び屋外天井２０９を示すものである。最上位のスラット２６０は、ビート２６２の長さ（図２１では上下方向幅）が長い点で、本実施形態に係る最上位のスラット６０と相違する。屋外天井２０９は、凹部２０９ａを具備する点で本実施形態に係る屋外天井９と相違する。凹部２０９ａは、屋外天井２０９の下面に形成される。また、凹部２０９ａは、ビート２６２を収納可能に構成される。
【０２１７】
最上位のスラット２６０は、全閉状態において、ビート２６２の先端部（上端部）が凹部２０９ａに入り込む。ビート２６２は、凹部２０９ａに対して僅かに間隔をあけて配置される。このように、前記シャッター装置１０の前記開閉部５０は、前記サッシ７の開口に対して閉鎖した場合に、前記屋外天井９に形成された凹部２０９ａに入り込むものである。
【０２１８】
このような構成によれば、最上位のスラット２６０と屋外天井２０９との間から鳥や雨水等が侵入するのを抑制できる。また、正面視（前後方向）において、屋外天井２０９とビート２６２との間に隙間が形成されていないため、屋外の光が屋内へと侵入するのを抑制することができる。
【０２１９】
また、第二変形例においては、凹部２０９ａにビート２６２を入り込ませる構成としたが、別の構成を採用することもできる。例えば、屋外天井２０９の下面に当該下面から下方へと凸状となる凸部（例えば、上桟等）を形成し、全閉状態において当該凸部の前方（屋外側）又は後方（屋内側）にビート２６２の先端部（上端部）を移動させることとしてもよい。このように、屋外天井２０９に対して最上位のスラット２６０が僅かに隙間をあけて配置される第二変形例では、最上位のスラット２６０の少なくとも一部が、凹部２０９ａや前記凸部の側壁と正面視で重複していればよい。このように、本発明に係る凹部とは、屋外天井２０９の下面から上方に凹んだ部分だけでなく、屋外天井２０９の下面と当該下面に対して上下方向にずれた面とから構成されてもよい。具体的には、本発明に係る凹部には、凹部２０９ａだけでなく、屋外天井２０９の下面と当該下面から下方へと凸状となる凸部（例えば、上桟等）とから構成される部分も含まれる。
【０２２０】
また、最上位のスラット６０及び連動部材８０は、スラット群７０との間に隙間をあけて配置されるものとしたが、スラット群７０に対して隙間なく積み重ねられるものであってもよい。このように構成することで、開閉部５０を収納するスペースを小さくすることができるため、シャッター装置１０を小型化することができる。
【０２２１】
また、開閉部５０は、複数のスラット６０・７０を具備するものとしたが、建物開口部６を開閉可能であれば、開閉部５０の構成は、これに限定されるものではない。開閉部５０は、例えば、１枚のシート状の部材を具備するものであってもよい。
【０２２２】
また、前側センサ９２及び後側センサ９３は、収納開口部２１ｄの内側に侵入する異物Ｂを検知可能であれば、その構成はテープスイッチに限定されるものではなく、例えば、赤外線センサ等であってもよい。
【０２２３】
また、前側センサ９２及び後側センサ９３の被押圧部９２ａ・９３ａは、収納開口部２１ｄの内側に侵入する異物Ｂによって押圧可能であれば、その姿勢は本実施形態に限定されるものではない。被押圧部９２ａ・９３ａは、例えば、前後方向を向いた姿勢で配置されるものであってもよい。
【０２２４】
また、シャッター装置１０は、前側センサ９２及び後側センサ９３が異物Ｂを検知した場合に、開閉部５０の下降の停止及び上昇を行うものとしたが、異物Ｂを検知したときの制御はこれに限定されるものではない。シャッター装置１０は、例えば、異物Ｂを検知した場合に、開閉部５０の下降の停止のみを行うものであってもよい。
【０２２５】
また、連動部材８０は、全閉状態において収納開口部２１ｄを塞ぐことが可能であれば、その構成は本実施形態に限定されるものではなく、例えば、図２２に示す変形例に係る連動部材３８０のような構成とすることも可能である。
【０２２６】
変形例に係る連動部材３８０は、受け部３８１、前側ビート３８２及び後側ビート３８３を具備する点で本実施形態に係る連動部材８０と相違する。受け部３８１は、連動部材３８０の後部に形成される。受け部３８１は、下方へ延びる部分と当該下方へ延びた部分の端部から略後方へ延びる部分とを有する略Ｌ字状に形成される。前側ビート３８２及び後側ビート３８３は、略板状に形成された樹脂によって弾性変形可能に構成される。前側ビート３８２は、その板面を前上方（後下方）に向けた状態で連動部材３８０の前端部に設けられ、前壁部２１ｂの後方に配置される。後側ビート３８３は、その板面を略前後方向に向けた状態で受け部３８１の後端部に設けられ、後側閉塞部材２４の下方に配置される。連動部材３８０は、受け部３８１及び後側ビート３８３により、後部が側面視略Ｊ字状に形成される。
【０２２７】
変形例に係る連動部材３８０は、昇降時に前端部（前側ビート３８２）と前壁部２１ｂとの間に異物Ｂが挟まったとしても、前側ビート３８２を弾性変形させて異物Ｂに負荷がかかるのを抑制することができる。また、連動部材３８０は、上昇時に後端部（後側ビート３８３）と後側閉塞部材２４との間に異物Ｂが挟まったとしても、後側ビート３８３を弾性変形させて異物Ｂに負荷がかかるのを抑制することができる。また、連動部材３８０は、全閉状態において収納開口部２１ｄの後方から異物Ｂが落下したとしても、受け部３８１ｂ及び後側ビート３８３により異物Ｂを保持することができる。これにより、異物Ｂが連動部材３８０の下方へと落下するのを抑制し、異物Ｂを取り除き易くすることができる。
【０２２８】
また、変形例に係る連動部材３８０は、前端部（前側ビート３８２）と前壁部２１ｂとの隙間を本実施形態よりも小さくしている。これによって、全閉状態において、収納開口部２１ｄから異物Ｂや雨水Ｗが収納ボックス２０内に侵入するのを効果的に抑制することができる。
【０２２９】
また、全閉状態において収納開口部２１ｄを閉塞する部材は、必ずしも連動部材８０である必要はなく、例えば、スラット群７０のスラットであってもよい。
【０２３０】
図２３及び図２４は、スラット群７０のスラットにより全閉状態において収納開口部２１ｄを閉塞する、変形例に係る開閉部４５０を示すものである。変形例に係る開閉部４５０は、スラットの昇降動作に加えて、回動動作も利用して収納開口部２１ｄを閉塞する。
【０２３１】
具体的には、図２３に示す変形例に係る開閉部４５０は、最上位のスラット６０、通常のスラット群４６０、前側閉塞用スラット４７０及び後側閉塞用スラット４８０を具備する。通常のスラット群４６０のスラットは、本実施形態に係るスラット群７０のスラットと同一形状に形成される。前側閉塞用スラット４７０は、全てのスラット６０・４６０・４７０・４８０のうち、下から３番目のスラットである。前側閉塞用スラット４７０は、その前端部から上方へ突出する板状の閉塞部４７１を具備する点で通常のスラット群４６０のスラットと相違する。後側閉塞用スラット４８０は、最下位のスラットである。後側閉塞用スラット４８０は、その後端部から後方へ突出する板状の第一閉塞部４８１と、その後端部から後下方へ突出する板状の第二閉塞部４８２と、を具備する点で通常のスラット群４６０のスラットと相違する。また、前側閉塞用スラット４７０及び後側閉塞用スラット４８０は、通常のスラット群４６０と共に昇降可能、かつ回動可能に構成される。
【０２３２】
図２４に示すように、変形例に係る開閉部４５０は、全閉状態において、前側閉塞用スラット４７０が収納開口部２１ｄの上方において回動し、その板面が前後方向を向いた（立ち上がった）状態となる。閉塞部４７１は、前側閉塞用スラット４７０の回動によって、その板面が上下方向を向けられてボックス本体２１の前壁部２１ｂと当接し、収納開口部２１ｄの前部を閉塞する。また、後側閉塞用スラット４８０は、収納開口部２１ｄの下方において回動し、その板面が前後方向を向いた（立ち上がった）状態となる。第一閉塞部４８１は、後側閉塞用スラット４８０の回動によって、その板面が前後方向を向けられて、後側閉塞部材２４と対向する。第二閉塞部４８２は、その板面が前上方（後下方）を向けられて、後上端部が後側閉塞部材２４の近傍に配置される。後側閉塞用スラット４８０は、当該第一閉塞部４８１及び第二閉塞部４８２により、収納開口部２１ｄの後部を閉塞する。こうして、開閉部４５０は、２つのスラット４７０・４８０の回動動作を利用して、全閉状態で収納開口部２１ｄを閉塞することができる。
【０２３３】
以上の如く、変形例において、前記開閉部４５０は、上下方向に並設された複数のスラット６０・４６０・４７０・４８０の集合体であって、前記閉塞手段は、前記複数のスラット６０・４６０・４７０・４８０のうち一部のスラット４７０・４８０を用いて形成されているものである。
【０２３４】
このように構成することにより、スラット６０・４６０・４７０・４８０を用いた簡易な構成により、雨水Ｗや異物Ｂ等が収納ボックス２０の内部に侵入するのを抑制することができる。
【０２３５】
また、変形例において、前記複数のスラット６０・４６０・４７０・４８０は、それぞれ立ち上がった状態である立ち上がり状態と、横たわった状態である横たわり状態と、に姿勢を切り替え可能に構成され、前記横たわり状態であった前側閉塞用スラット４７０及び後側閉塞用スラット４８０（前記一部のスラット）を、前記立ち上がり状態に切り替えることにより前記収納ボックス２０の前記収納開口部２１ｄを塞ぐものである。
【０２３６】
このように構成することにより、スラット４７０・４８０の姿勢の切替（回動動作）を用いた簡易な構成により、雨水Ｗや異物Ｂ等が収納ボックス２０の内部に侵入するのを抑制することができる。
【０２３７】
また、前記前側閉塞用スラット４７０及び後側閉塞用スラット４８０は、少なくとも２つ以上のスラット４７０・４８０である。
【０２３８】
このように構成することにより、スラット４７０・４８０の姿勢の切替を用いた簡易な構成により、雨水Ｗや異物Ｂ等が収納ボックス２０の内部に侵入するのを抑制することができる。
【０２３９】
なお、変形例において、開閉部４５０は、１つのスラットの回動動作を利用して収納開口部２１ｄを閉塞するものであってもよい。
【０２４０】
また、変形例において、前側閉塞用スラット４７０と後側閉塞用スラット４８０との間には、通常のスラット群４６０のスラットが介在していたが、これに限定されるものではなく、互いに隣接していてもよい。
【０２４１】
また、シャッター装置１０においては、少なくとも後側閉塞部材２４が取り外し可能であればよく、必ずしも開閉部５０、連動部材８０及びパーティション２３が取り外し可能に設けられている必要はない。
【０２４２】
また、モータ１１１は、開閉部５０を駆動可能に構成されていれば、その配置位置は特に限定されるものではなく、例えば、開閉部５０の前方等に配置されていてもよい。また、モータ１１１は、ケース２２に載置されるものであってもよい。
【０２４３】
また、ボックス本体２１の内部において、前側空間Ｓ１１と後側空間Ｓ１２とは、必ずしも隣接している必要はなく、例えば、他の空間を介して繋がっていてもよい。
【０２４４】
また、排水構造は、第一排出部１２１及び第二排出部１２２を具備するものとしたが、収納ボックス２０内に侵入した雨水Ｗを排出可能であれば、排水構造の構成はこれに限定されるものではない。排水構造は、例えば、図２５に示す第一変形例に係る排水構造や図２６に示す第二変形例に係る排水構造のような構成であってもよい。
【０２４５】
図２５に示すように、第一変形例に係る排水構造は、第一排出部５２１を具備する点で本実施形態に係る排水構造と相違する。第一排出部５２１は、上側空間Ｓ１０に侵入した雨水Ｗを収納ボックス２０の前部から排出するためのものである。また、第一排出部５２１は、前壁部２１ｂの内側面とケース２２及びパーティション２３との間に形成される隙間である。第一排出部５２１は、その上端部がパーティション２３よりも上方に位置するように形成され、上側空間Ｓ１０と連通する。
【０２４６】
第一変形例に係る排水構造によれば、収納開口部２１ｄから侵入して前壁部２１ｂを伝う雨水Ｗを、第一排出部５２１へと移動させて外部へ排出することができる。これにより、パーティション２３の傾斜面２３ａを介さずに（速やかに）雨水Ｗを排出することができるため、排水性の向上を図ることができる。
【０２４７】
また、第一変形例に係る排水構造は、図２２に示す変形例に係る連動部材３８０と組み合わせることで、排水性を効果的に向上させることができる。具体的には、連動部材３８０は、前端部（前側ビート３８２）と前壁部２１ｂとの隙間が本実施形態よりも小さくなっている。このため、雨水Ｗは、全閉状態において上側空間Ｓ１０に侵入する場合に、前側ビート３８２を伝って前壁部２１ｂへ移動し、前壁部２１ｂを伝い易くなる。よって、第一変形例に係る排水構造と変形例に係る連動部材３８０と組み合わせると、連動部材３８０で前壁部２１ｂを伝い易くなった雨水Ｗを、第一排出部５２１から速やかに排出することができるため、排水性を効果的に向上させることができる。
【０２４８】
図２６に示すように、第二変形例に係る排水構造は、第一排出部６２１及び第二排出部６２２を具備する点で本実施形態に係る排水構造と相違する。第一排出部６２１は、上側空間Ｓ１０に侵入した雨水Ｗを収納ボックス２０の右部から排出するためのものである。また、第一排出部６２１は、パーティション２３の右端部に形成される切欠部である。第一排出部６２１は、平面視略矩形状に形成される。第一排出部６２１は、パーティション２３の前端部から後部（アタッチメント４０よりも後方に位置する部分）までに亘って形成される。第二排出部６２２は、下側空間Ｓ２０に侵入した雨水Ｗを収納ボックス２０の右部から排出するためのものである。また、第二排出部６２２は、ケース２２の底面に形成される切欠部である。第二排出部６２２は、第一排出部６２１と略同一形状に形成され、平面視において第一排出部６２１と重複するように形成される。
【０２４９】
第二変形例に係る排水構造によれば、収納開口部２１ｄから侵入して縦枠３０及びアタッチメント４０を伝う雨水Ｗを、第一排出部６２１及び第二排出部６２２によって下方へ案内して外部へ排出することができる。これにより、パーティション２３の傾斜面２３ａを介さずに（速やかに）雨水Ｗを排出することができるため、排水性の向上を図ることができる。
【０２５０】
このように、第一排出部１２１は、前側空間Ｓ１１内の雨水Ｗを排出可能であれば、第一排出部１２１が形成される位置は特に限定されるものではない。また、第二排出部１２２は、下側空間Ｓ２０内の雨水Ｗを排出可能であれば、第二排出部１２２が形成される位置は特に限定されるものではない。
【０２５１】
また、シャッター装置１０は、少なくとも第一排出部１２１が形成されていればよく、必ずしも第二排出部１２２が形成されている必要はない。
【０２５２】
また、住宅１において、建物開口部６に設けられる建具は、必ずしも掃き出しサッシである必要はない。
【０２５３】
また、住宅１において、シャッター装置１０は、必ずしも全開状態及び全閉状態において収納開口部２１ｄを塞ぐ必要はない。
【０２５４】
また、住宅１において、シャッター装置１０の収納開口部２１ｄは、屋内床４と略同一の高さであるものとしたが、これに限定されるものではなく、例えば、屋内床４とは異なる高さであってもよい。
【０２５５】
また、住宅１において、屋外床８は、必ずしも屋内床４と略同一の高さである必要はなく、互いに異なる高さであってもよい。
【符号の説明】
【０２５６】
６      建物開口部
１０    シャッター装置
２０    収納ボックス
２１ｄ  収納開口部（開口部）
５０    開閉部
６０    最上位のスラット（開閉部の最上部）
【図１】
2020051106.tif 000003
【図２】
2020051106.tif 000004
【図３】
2020051106.tif 000005
【図４】
2020051106.tif 000006
【図５】
2020051106.tif 000007
【図６】
2020051106.tif 000008
【図７】
2020051106.tif 000009
【図８】
2020051106.tif 000010
【図９】
2020051106.tif 000011
【図１０】
2020051106.tif 000012
【図１１】
2020051106.tif 000013
【図１２】
2020051106.tif 000014
【図１３】
2020051106.tif 000015
【図１４】
2020051106.tif 000016
【図１５】
2020051106.tif 000017
【図１６】
2020051106.tif 000018
【図１７】
2020051106.tif 000019
【図１８】
2020051106.tif 000020
【図１９】
2020051106.tif 000021
【図２０】
2020051106.tif 000022
【図２１】
2020051106.tif 000023
【図２２】
2020051106.tif 000024
【図２３】
2020051106.tif 000025
【図２４】
2020051106.tif 000026
【図２５】
2020051106.tif 000027
【図２６】
2020051106.tif 000028